【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
計算機に接続された第一ストレージシステムと第二ストレージシステムと管理システムとを有するデータ格納システムであって、
前記第一ストレージシステムは複数の第一ストレージポートと前記計算機から受信した書き込みデータを格納する複数の第一論理ボリュームとを有し、
前記第二ストレージシステムは前記複数の第一ストレージポートと接続した複数の第二ストレージポートと、リモートコピーによる前記複数の第一論理ボリュームのデータの複製を格納する複数の第二論理ボリュームとを有し、
前記管理システムは、前記複数の第一論理ボリュームと前記複数の第二論理ボリュームから構成される複数のコピーペアと、前記計算機の書き込みデータの順序関係に関する複数のコピーグループと、の対応を格納するコピー情報を格納し、
前記管理システムは、前記複数の第一ストレージポートと前記複数の第二ストレージポートを含む複数の物理パスと、複数の論理パスと、前記リモートコピーによる前記複数のコピーグループと、の対応関係を示すパスリモートコピー関連情報を格納し、
前記管理システムは、前記複数の物理パスに含まれる所定の物理パスを指定した障害情報を受信し、前記パスリモートコピー関連情報を参照することで、前記複数の論理パスの一部であって前記所定の物理パスに対応する所定の論理パスと、前記複数のコピーグループの一つであって、前記所定の論理パスに対応する所定のコピーグループと、を特定し、前記所定の物理パスの障害により影響するコピーグループとして前記所定のコピーグループの識別情報を表示する、
ことを特徴とするデータ格納システム。
【請求項２】
請求項１記載のデータ格納システムであって、
前記データ格納システムは、前記複数の第一ストレージポートの一部または全て及び前記複数の第二ストレージポートの一部または全てと接続する通信装置を有し、
前記障害情報は前記第一ストレージシステム、前記第二ストレージシステム、又は前記通信装置によって送信される、
ことを特徴とするデータ格納システム。
【請求項３】
請求項２記載のデータ格納システムであって、前記データ格納システムは、前記障害情報の受信を契機として前記所定のコピーグループのリモートコピーに関する性能情報を表示することを特徴とするデータ格納システム。
【請求項４】
請求項３記載のデータ格納システムであって、
前記コピー情報は前記複数のコピーグループの各々のコピー種別を格納し、
前記コピー情報に基づいて前記所定のコピーグループのコピー種別を特定し、前記コピー種別を元に前記性能情報として表示する情報を変更することを特徴とするデータ格納システム。
【請求項５】
請求項２ないし請求項４のいずれか１つに記載のデータ格納システムであって、
前記管理システムは前記第一ストレージシステム及び前記第二ストレージシステムから前記複数のコピーグループのコピー状態に関する情報を受信し、当該情報を元に前記複数のコピーグループの各々のコピー状態を前記コピー情報に格納し、
前記管理システムは前記所定のコピーグループのコピー状態の変化に関する表示とは非同期に前記所定のコピーグループの識別情報を表示する、
ことを特徴としたデータ格納システム。
【請求項６】
請求項５記載のデータ格納システムであって、
前記所定のコピーグループのコピー状態が正常にコピーが行われている状態において、前記管理システムは、前記複数の物理パスの一つを指定したユーザ要求に応じて、前記所定の論理パスに対して前記複数の物理パスの一つを対応させる要求を前記第一のストレージシステム又は前記第二のストレージシステムに送信する、
ことを特徴としたデータ格納システム。
【請求項７】
計算機に接続された第一ストレージシステムと第二ストレージシステムとに接続された管理システムのリモートコピー管理方法であって、
前記第一ストレージシステムが有する第一論理ボリューム前記第二ストレージシステムが有する第三論理ボリュームとから構成される第一コピーペアと、前記第一ストレージシステムが有する第二論理ボリューム前記第二ストレージシステムが有する第四論理ボリュームとから構成される第二コピーペアと、の情報をコピー情報へ格納するステップと、
前記第一コピーペアと前記第二コピーペアを含む第一コピーグループの情報を前記コピー情報へ格納するステップと、
前記第一ストレージシステムが有する第一ストレージポートと前記第二ストレージシステムが有する第三ストレージポートとから構成される第一物理パスと、前記第一ストレージシステムが有する第二ストレージポートと前記第二ストレージシステムが有する第四ストレージポートとから構成される第二物理パスと、の情報をパス情報へ格納するステップと、
前記第一コピーペアのリモートコピーの転送データ及び前記第二コピーペアのリモートコピーの転送データの転送に用いる所定の物理パスを、第一物理パス又は／及び第二物理パスから特定する第一論理パスの情報を前記パス情報へ格納するステップと、
前記第一物理パスに関する障害情報を受信するステップと、
前記コピー情報と前記パス情報を参照することで、前記第一物理パスに対応する前記第一論理パスと前記第一コピーグループとを特定するステップと、
前記第一物理パスの障害により影響するコピーグループとして前記第一コピーグループの識別情報を表示するステップと、
を有することを特徴とするリモートコピー管理方法。
【請求項８】
請求項７記載のリモートコピー管理方法であって、前記第一物理パスに関する障害情報は、前記第一ストレージシステム、前記第二ストレージシステム、又は前記第一物理パスを構成する通信装置から送信されることを特徴としたリモートコピー管理方法。
【請求項９】
請求項８記載のリモートコピー管理方法であって、
前記第一物理パスに関する障害情報の受信を契機として前記第一コピーグループのリモートコピーに関する性能情報を表示することを特徴とするリモートコピー管理方法。
【請求項１０】
請求項９記載のリモートコピー管理方法であって、
前記第一コピーグループのコピー種別を前記コピー情報に格納するステップと、
前記コピー種別を元に前記性能情報として表示する情報を変更するために、前記コピー情報に基づいて前記第一コピーグループが同期リモートコピーか非同期リモートコピーであるかを特定するステップと、
を有することを特徴とするリモートコピー管理方法。
【請求項１１】
請求項１０記載のリモートコピー管理方法であって、
前記第一ストレージシステム及び前記第二ストレージシステムから前記第一コピーグループのコピー状態に関する情報を受信し、当該情報を元に前記複数のコピーグループの各々のコピー状態を前記コピー情報に格納するステップと、
前記第一コピーグループのコピー状態の変化に関する表示とは非同期に前記所定のコピーグループの識別情報を表示するステップと、
を有することを特徴とするリモートコピー管理方法。
【請求項１２】
請求項１１記載のリモートコピー管理方法であって、
前記第一コピーグループのコピー状態が正常にコピーが行われている状態において、前記第一ストレージシステムが有する第五ストレージポートと前記第二ストレージシステムが有する第六ストレージポートとから構成される第三物理パスを指定したユーザ要求に応じて、前記第一論理パスに対して前記第三物理パスを対応させる要求を前記第一のストレージシステム又は前記第二のストレージシステムに送信するステップ、
を有することを特徴とするリモートコピー管理方法。
【請求項１３】
請求項１０ないし請求項１２のいずれか１つに記載のリモートコピー管理方法であって、
前記第一ストレージシステムが有する第五論理ボリュームと前記第二ストレージシステムが有する第六論理ボリュームとから構成される第三コピーペアの情報を前記コピー情報へ格納するステップと、
前記第三コピーペアを含む第二コピーグループの情報を前記コピー情報へ格納するステップと、
前記第一ストレージシステムが有する第五ストレージポートと前記第二ストレージシステムが有する第六ストレージポートとから構成される第三物理パスの情報を前記パス情報へ格納するステップと、
前記第三コピーペアのリモートコピーの転送データの転送に用いる所定の物理パスを、第三物理パスと特定する第二論理パスの情報を前記パス情報へ格納するステップと、
を有し、
前記第一コピーグループの識別情報を表示するステップにおいて、前記コピー情報と前記パス情報とに基づいて前記第二コピーグループが正常であることを表示する、
ことを特徴とするリモートコピー管理方法。